(57)【要約】【課題】未契約の状態では、有料信号を出力できるようにしてある出力端子に対して、テレビのケーブル先端に備える接栓を接続することができず、未契約者が不正に有料信号を取り出すことを防止できる直列ユニットを提供する。【解決手段】機枠には、入力される有料信号を出力できるようにしてある出力端子を備えている直列ユニットにおいて、上記有料信号の出力端子に係わる非規格の接続部の構成は、規格で定められている型式の接栓に係わる接続部に対しては、接続を不可能にする為に上記規格品の接栓に係わる接続部には対応しない構成にした。【選択図】    図１
2008198576.tif 000002
【特許請求の範囲】
【請求項１】
機枠には、入力される有料信号を、出力できるようにしてある出力端子を備えている直列ユニットにおいて、
上記有料信号の出力端子に係わる非規格の接続部の構成は、規格で定められている型式の接栓に係わる接続部に対しては、接続を不可能にする為に上記規格品の接栓に係わる接続部には対応しない構成にしてあることを特徴とする直列ユニット。
【請求項２】
機枠には、入力される有料信号を、出力できるようにしてある出力端子を備えている直列ユニットにおいて、
上記有料信号の出力端子の構成は、規格で定められている型式の接栓に係わる接続部を、上記有料信号の出力端子に係わる接続部に対応合着させた状態では、規格で定められている型式の接栓に係わる中心導体が上記出力端子における出力用接片に接触できない状態で、上記機枠に対して出力用接片が備えさせてあることを特徴とする直列ユニット。
【請求項３】
機枠には、入力される有料信号を、出力できるようにしてある出力端子を備えている直列ユニットにおいて、
上記有料信号出力端子における非規格接続部の構成は、規格で定められている型式の接栓の接続部に対しては、接続を不可能にする為に上記の規格で定められている型式の接栓の接続部には対応しない構成にしておき、
一方、規格で定められている型式の接栓の接続部に対応する構成にした前側接続部が付加してある接栓装着具を用意し、この接栓装着具を上記有料信号出力端子における非規格接続部に接続することによって、この接栓装着具に付加された上記前側接続部に対して、上記規格で定められている型式の接栓の接続部を接続し、上記の入力される有料信号の取り出しを可能にすることを特徴とする直列ユニット。 
【請求項４】
機枠には、入力される有料信号を、出力できるようにしてある出力端子を備えている直列ユニットにおいて、
上記有料信号の出力端子の構成は、規格で定められている型式の接栓に係わる接続部を、上記有料信号の出力端子に係わる接続部に対応合着させた状態では、規格で定められている型式の接栓に係わる中心導体が上記出力端子における出力用接片に接触できない状態で、上記機枠に対して出力用接片が備えさせ、
一方、規格で定められている型式の接栓に係わる中心導体に対応する構成にした連結中心導体が付加してある中心導体連結具を用意し、この中心導体連結具を上記有料信号出力端子に係わる接続部に接続することによって、この中心導体連結具に付加された上記連結中心導体に対して、上記規格で定められている型式の接栓に係わる中心導体を接続し、上記の入力される有料信号の取り出しを可能にすることを特徴とする直列ユニット。 
【請求項５】
機枠には、入力される有料信号を、出力できるようにしてある出力端子を備えている直列ユニットにおいて、
上記有料信号出力端子の表面には、規格で定められている型式の接栓の接続部の装着を妨げる為の扁平状の遮蔽部材を被せ、その遮蔽部材の周辺から奥部に向けて形成された円筒状の嵌合部の内側にある雌ねじは上記有料信号出力端子における接続部の周囲に備える雄ねじに螺合させてあり、しかも、
遮蔽部材の表面には複数の係合孔を散設し、対応する特定工具によってのみ回動除去を可能にしてあることを特徴とする直列ユニット。
【請求項６】
機枠には、入力される有料信号を、出力できるようにしてある出力端子を備えている直列ユニットにおいて、
上記有料信号出力端子の表面には、規格で定められている型式の接栓の接続部の装着を妨げる為の扁平状の遮蔽手段を被せ、しかも、
遮蔽部材における固着部は上記機枠に対し固着し、上記接続部の装着を不可能にしてあることを特徴とする直列ユニット。
【請求項７】
機枠には、入力される有料信号を出力できるようにしてある出力端子を備え、その出力端子から上記入力される有料信号を取り出すようにする直列ユニットからの有料信号取出方法において、
上記有料信号出力端子における接続部の構成は、規格で定められている型式の接栓の接続部に対しては、接続を不可能にする為に上記の規格で定められている型式の接栓の接続部には対応しない構成にしておき、
上記有料信号出力端子の接続部に対して、規格で定められている型式の接栓の接続部の接続を可能にする為に、上記規格で定められている型式の接栓の接続部に対応する構成にした接続部を備える接栓装着具を付加することにより、この接栓装着具に付加された接続部に対して上記規格で定められている型式の接栓の接続部を接続して、上記の入力される有料信号を取り出すことを特徴とする直列ユニットからの有料信号取出方法。
【発明の詳細な説明】
【技術分野】
【０００１】
本発明は、有料信号を出力できるようにしてある出力端子を備えている直列ユニットに関する。
【背景技術】
【０００２】
従来の有料信号を出力できるようにしてある出力端子を備えている直列ユニットに対しては、未契約者が、テレビのケーブル先端に備える接栓を、上記出力端子に接続して有料信号を取り出すことを防止する為に、予め、上記出力端子に対して筒状のキャップを装着し、そのキャップを、上記出力端子から取り外し困難な構成にすることにより、未契約者が不正に有料信号を取り出すことを防止するようにしている（例えば、特許文献１参照）。
【０００３】
【特許文献１】実用新案登録第３０５３７０７号公報
【特許文献２】特開２００６−１２９６４８公報
【発明の開示】
【発明が解決しようとする課題】
【０００４】
この従来の直列ユニットでは、上記出力端子に対して装着される筒状の不正受信防止用のキャップが壁面から突出する構成になる為、入居者から「邪魔になる」旨の苦情が出る問題点があった。
【０００５】
本件出願の目的は、未契約の状態では、有料信号を出力できるようにしてある出力端子に対して、テレビのケーブル先端に備える接栓を接続することができず、未契約者が不正に有料信号を取り出すことを防止できる直列ユニットを提供しようとするものである。
他の目的は、上記接栓の接続を防止するための構成は、壁面から実質的に突出しない構成にして、未契約の入居者でも快適に室内を利用することのできる直列ユニットを提供しようとするものである。
他の目的及び利点は図面及びそれに関連した以下の説明により容易に明らかになるであろう。
【課題を解決するための手段】
【０００６】
本発明における直列ユニットは、機枠１１には、入力される有料信号を、出力できるようにしてある出力端子２５を備えている直列ユニットＢにおいて、上記有料信号の出力端子２５に係わる非規格の接続部２６の構成は、規格で定められている型式の接栓６０に係わる接続部６１に対しては、接続を不可能にする為に上記規格品の接栓６０に係わる接続部６１には対応しない構成にしたものである。
【０００７】
また好ましくは、機枠１１には、入力される有料信号を、出力できるようにしてある出力端子２５を備えている直列ユニットＢにおいて、上記有料信号の出力端子２５の構成は、規格で定められている型式の接栓６０に係わる接続部６１を、上記有料信号の出力端子２５に係わる接続部７０に対応合着させた状態では、規格で定められている型式の接栓６０に係わる中心導体６３が上記出力端子２５における出力用接片３５ｅに接触できない状態で、上記機枠１１に対して出力用接片３５ｅが備えさせたものであればよい。
【０００８】
また好ましくは、機枠１１には、入力される有料信号を、出力できるようにしてある出力端子２５を備えている直列ユニットＢにおいて、上記有料信号出力端子２５における非規格接続部２６の構成は、規格で定められている型式の接栓６０の接続部６１に対しては、接続を不可能にする為に上記の規格で定められている型式の接栓６０の接続部６１には対応しない構成にしておき、一方、規格で定められている型式の接栓６０の接続部６１に対応する構成にした前側接続部４１が付加してある接栓装着具４０、40ｃを用意し、この接栓装着具４０、40ｃを上記有料信号出力端子２５における非規格接続部２６に接続することによって、この接栓装着具４０、40ｃに付加された上記前側接続部４１に対して、上記規格で定められている型式の接栓６０の接続部６１を接続し、上記の入力される有料信号の取り出しを可能にするものであればよい。
【０００９】
また好ましくは、機枠１１には、入力される有料信号を、出力できるようにしてある出力端子２５を備えている直列ユニットＢにおいて、上記有料信号の出力端子２５の構成は、規格で定められている型式の接栓６０に係わる接続部６１を、上記有料信号の出力端子２５に係わる接続部７０に対応合着させた状態では、規格で定められている型式の接栓６０に係わる中心導体６３が上記出力端子２５における出力用接片３５eに接触できない状態で、上記機枠１１に対して出力用接片３５eが備えさせ、一方、規格で定められている型式の接栓６０に係わる中心導体６３に対応する構成にした連結中心導体８１が付加してある中心導体連結具７５を用意し、この中心導体連結具７５を上記有料信号出力端子２５に係わる接続部７０に接続することによって、この中心導体連結具７５に付加された上記連結中心導体８１に対して、上記規格で定められている型式の接栓６０に係わる中心導体６３を接続し、上記の入力される有料信号の取り出しを可能にするものであればよい。
【発明の効果】
【００１０】
以上のように本発明にあっては、未契約の状態では、有料信号を出力できるようにしてある有料信号出力端子２５に対して、テレビのケーブル先端に備える接栓６０を接続することができない構成であるから、未契約者が不正に有料信号を取り出すことを防止できる効果がある。
その上、上記接栓６０の接続を防止するための構成は、壁面から実質的に突出しない構成であるから、入居者から「邪魔になる」旨の苦情が出るような心配はなく、未契約の入居者でも快適に室内を利用することのできる効果がある。
特に本発明において、有料信号の出力端子２５に係わる接続部の構成を、規格で定められている型式の接栓６０に係わる接続部６１に対して接続を不可能にする為に上記規格品の接栓６０には対応しない非規格品の構成にした場合には、未契約の入居者が通常用いられている工具を用いて不正利用を試みても、有料信号を取り出すことはできず、結局、有料信号供給業者から、対応する中間部材としての接栓装着具４０又は上記非規格品の有料信号出力端子２５に対応する非規格品の接栓の供給を受けるなど、有料信号供給業者からの提供品によってのみ有料信号の取り出しを可能にし、視聴契約率を高め得る効果がある。
【発明を実施するための最良の形態】
【００１１】
以下本願以下本発明の実施の形態を図１乃至図１２を用いて説明する。
Ａは周知の共同受信システムを例示するものである。例えばパススルー方式の共同受信システムを示す（図１参照）。１はＣＡＴＶ業者から伝送されるCATV信号（周波数帯域：例えば１０〜540MHz、・・・「有料信号」ともいう）の伝送路、２はUHFアンテナを示す。３はＢＳ／ＣＳアンテナを示し、周知のようにＢＳ／ＣＳアンテナ３で受信された電波はＢＳ／ＣＳアンテナ３に備えられるコンバータ（図示省略）で中間周波数帯の信号（BS-IF信号という）に周波数変換される。５はCATV信号とUHFアンテナ２で受信されたUHF信号（周波数帯域：550〜770MHz）とを混合する為の混合器を示す。６は上記混合された信号（CATV+UHF信号ともいう）と、ＢＳ／ＣＳアンテナ３で受信されたBS-IF信号を混合する為の混合器を示す。７は混合器６で混合された信号（「CATV+UHF+BS信号」ともいう）を増幅して次段へ出力させる為の増幅器を示し、８はCATV+UHF+BS信号を伝送路４を介して次段の複数の居住室内へ向けて分配する為の分配器を示す。Ｂは各居住室内に配設された直列ユニットを示す。
図１(Ｂ）に示される上記混合器５の構成について説明する。
５ａは上記CATV信号が入力される入力端子、５ｂは上記UHF信号が入力される入力端子、５ｃは出力端子を示す。５ｄはローパスフィルタ、５ｅはハイパスフィルタを示す。
次に、図１(Ｃ）に示される混合器６の構成について説明する。
６ａは上記CATV+UHF信号が入力される入力端子、６ｂは上記BS-IF信号が入力される入力端子、６ｃは出力端子を示し、夫々伝送路４に接続されている。
６ｄはローパスフィルタ、６ｅはハイパスフィルタを示す。６ｆ、６ｇは電源フィルタを示し、出力端子６ｃを電力受入端子として利用して重畳される直流電力（DC15V）が、入力端子６ｂ、電源フィルタ６ｇ、６ｆを通ってＢＳ／ＣＳアンテナ３のコンバーターに供給される。
【００１２】
次に直列ユニットＢについて説明する。直列ユニットには周知のように多様な回路構成のものが提供されている。例えば図１（Ｄ）のように構成されたものもある。また本件においては、単にテレビ端子と称されるもの、例えば送出端子１４、出力端子１９，その他本発明の実施に必要でない部材を欠如させたものも含まれる。
次に多くの図に表われる１１は機枠を示し、周知のように導電性の材料、例えば亜鉛ダイカスト成型で形成してある。１３はCATV+UHF+BS信号が入力される入力端子、１４は次段の直列ユニットＢに向けてCATV+UHF+BS信号を出力する送出端子を示す。１５は機枠１１内に収納されているプリント基板を示す。図１（Ｄ）に示される15ａは入力端子１３に入力されたCATV+UHF+BS信号を、送出端子１４と分配器15ｂに向けて分岐する分岐器を示す。15ｃはCATV+UHF+BS信号の内、CATV信号（周波数帯域：１０〜540MHz）のみを通過させる為のバンドスフィルタを示し、通過したCATV信号は、後述の有料信号出力端子２５に至る。15ｄはCATV+UHF+BS信号の内、UHF信号及びBS-IF信号（周波数帯域：470MHz〜1.5GHz（110°CS-IF信号を含む場合は470MHz〜2.1GHz）通常信号ともいう）のみを通過させる為のバンドパスフィルタを示し、通過した通常信号は、後述の通常信号出力端子１９に至る。
【００１３】
１９は機枠１１の前側に一体的に備えられた、通常信号を出力する為の周知の出力端子を示す。通常信号出力端子１９は周知の接栓座と同様に構成されており、２０は規格で定められている型式の接栓６０を接続する為の接続部で、外周に雄ねじ２１が形成されている。２２は絶縁体、２３は中心導体としての出力用接片を示す。
【００１４】
２５は機枠１１の前側に一体的に備えられた、有料信号を出力できるようにしてある有料信号出力端子を示し、非規格接続部２６と出力用接片３５を備える。
上記有料信号出力端子２５における非規格接続部２６の構成は、規格で定められている型式の接栓６０の接続部６１に対しては、接続を不可能にする為に上記の規格で定められている型式の接栓６０の接続部６１には対応しない構成にしてある。
具体的には、非規格接続部２６において、２７は機枠１１の前面から奥側に向けて凹設させた筒状の周壁を示し、周壁２７の内径寸法Ｗ１は接栓６０の接続部６１を差し込めないように接続部６１の外径寸法Ｗ２よりも小径に形成してある。さらに、周壁２７の内径寸法Ｗ１は、通常用いられる部材（例えば、外周に雄ねじを有するＦ型端子を備える部材）を接続できないような内径にしてある（接続部６１の外径寸法Ｗ２：１５mm、通常のＦ型端子の外径寸法：9.5mm、内径寸法Ｗ１：7mm）。２９は周壁２７の内周面に形成されている雌ねじを示す。３１は底部３０の中心位置に形成されている貫通孔を示す。
出力用接片３５は、図示の如く一端はプリント基板１５に接続し、他端は貫通孔３１に対向する位置に向けて配置されている。
なお、非規格接続部２６の構成として、周壁２７の内径寸法Ｗ１を小さくしたものを図示して説明したが、接栓６０の接続部６１には対応しない構成であればよい。供給業者から対応器具（中間部材或いは特殊形状の接栓）の供給を受けることを配慮すると、例えば周壁２７の断面形状を三角形等の多角形に形成させてもよいし、周壁内周面に備える雌ねじ２９のピッチを、通常のＦ型端子における雄ねじの規格で定められたピッチに対応しないピッチ（例えば、Ｆ型端子における雄ねじの規格：25.4/32mmピッチである場合、雌ねじ２９：1.0mmピッチ）に形成してもよい。
【００１５】
５８は周知の直列ユニットＢを壁面に取付ける為の取付具（例えば埋め込みボックス）、５９は周知の化粧プレート（フラッシュプレートとも称されている）の存在を示す。５５は周知のパネル（端子台とも称されている）を示し、取付具５８に着脱自在に嵌合させてあり、出力端子１９、２５に対応する位置には凹部５６、５６が形成されている。
広く知られているように、化粧プレート５９、パネル５５等は壁面６８から突出しない状態で装着される。３３は、有料信号出力端子２５に対応する凹部５６に対して、必要に応じて装着するゴミ侵入防止用の盲蓋の存在を示す。
上記パネル５５の構成は広く知られており、例えば特許文献２（特開２００６−１２９６４８公報）において開示される等広く知られている。
【００１６】
６０は周知のように規格で定められている型式の接栓（プラグともいう）を示し、６１は接栓座に対して接続する為の接続部で、内周面に雌ねじ６２が形成されている。６３は中心導体を示す。なお、規格で定められている型式の接栓６０としては、広く知られているように接栓座に対して螺合させて装着するようにしたＦ型接栓60ａや、接栓座に対して嵌合させて装着するようにしたプラグ60ｂ等を用いるとよい。
６５は周知のように受信機器、例えばテレビ、チューナー等（図示省略）と直列ユニットＢを接続する為の信号導線、例えば５Ｃの同軸ケーブルを示す。
【００１７】
４０は有料信号供給業者から供給される、規格で定められている型式の接栓６０の接続部６１に対応する構成にした前側接続部４１が付加してある接栓装着具を示す（図３参照）。
４１は規格で定められている型式の接栓６０の接続部６１に対応する構成にした前側接続部を示し、外周面には、接続部６１の雌ねじ６２に対応する雄ねじ４２が形成されている。４５は非規格接続部２６に対応する構成にした奥側接続部を示し、外周面には非規格接続部２６の雌ねじ２９に対応する雄ねじ４６が形成されている。
４４は前側接続部４１と奥側接続部４５の間に形成してある止片で、その配置位置は、非規格接続部２６に対して奥側接続部４５を螺合装着した状態（図３（Ｂ）の状態）で、止片４４が機枠１１の前面に当接して、接栓装着具４０が適正位置に装着されるような位置に設定すればよい。４８は中心導体を示し、一端４９は上記出力用接片３５に対応接合する形状にしてあり、他端５０は接栓６０における中心導体６３に対応するように形成するとよい（図３（Ｂ）参照）。
【００１８】
上記構成のものにあっては、入居者が有料信号の供給業者に対して未契約の場合の使用について説明する。この場合、入居者の室内壁面６８に取付けられた直列ユニットＢは図２に示されるようになっている。
入居者が通常の放送（ＵＨＦ放送、ＢＳ放送、ＣＳ放送等）を見る場合には、受信機器に接続されている信号導線６５に装着されている接栓６０を出力端子１９に接続する。接栓６０の中心導体６３（図２において一点鎖線で示される６３参照）と通常信号出力端子１９における中心導体２３が接続される。
通常信号（UHF信号及びBS-IF信号）は、中心導体２３、６３を介して受信機器へ向けて取り出され、入居者は通常の放送を楽しむことができる。
次に、入居者がＣＡＴＶ業者から伝送される有料のＣＡＴＶ信号に係るサービス（放送、インターネット等）を利用しようとする場合は次の通りとなる。
入居者が、受信機器を有料信号出力端子２５に接続しようとして、盲蓋３３を取外し、受信機器に連なる接栓６０を、有料信号出力端子２５側の凹部５６に差し込む。この状態（図２において一点鎖線で示される符号６１、６３参照）では、接栓６０の中心導体６３と有料信号出力端子２５における出力用接片３５は接続されない。さらに、未契約の入居者が通常用いられている工具や部材等（例えば規格で定められている構成のＦ型端子）を用いて不正利用を試みても、非規格接続部２６に対しては接続できず、有料信号を取り出すことはできない。
その上、上記したように、接栓６０の接続を防止するための非規格接続部２６の構成は、図２に示されるように、壁面６８から実質的に突出しない構成であるから、入居者から「邪魔になる」旨の苦情が出るような心配はなく、未契約の入居者でも快適に室内を利用することのできる効果がある。
【００１９】
次に、入居者が有料信号の供給業者に対して有料信号を利用する為の契約をした場合の使用について説明する。
供給業者から非規格接続部２６に対応する中間部材としての接栓装着具４０の供給を受けたものとする。
入居者は、上記接栓装着具４０を用意し、有料信号出力端子２５における盲蓋３３を外す。そして、この接栓装着具４０を図３（Ｂ）に示されるように上記有料信号出力端子２５における非規格接続部２６に接続することによって、この接栓装着具４０に付加された上記前側接続部４１に対して、上記規格で定められている型式の接栓６０の接続部６１を接続する。  接栓６０の中心導体６３（図３（Ｂ）において一点鎖線で示される６３参照）と有料信号出力端子２５における出力用接片３５が中心導体４８を介して接続される。入力される有料信号の取り出しが可能になり、入居者は有料信号に係るサービスを楽しむことができる。
なお、当然のことながらこの場合においても、入居者は未契約時と同様に通常信号出力端子１９を利用した通常の放送も楽しむことができる。
【００２０】
次に、図１〜図３の有料信号出力端子２５とは、出力用接片35ｃの構成と、それに対応する接栓装着具40ｃにおける中心導体48ｃの構成の点において異なる例を示す図４について説明する。
有料信号出力端子２５における出力用接片35ｃは、図示の如く棒状（雄）に形成し、一端はプリント基板１５に接続し、他端は貫通孔３１を貫通させて非規格接続部２６の周壁内に位置させてある。
一方、接栓装着具40ｃにおける中心導体48ｃの構成は、一端49ｃを上記棒状の出力用接片35ｃに対応する形状（雌）に形成してある（図４（Ｃ）参照）。
なお、図４において前述の図１〜図３のものと機能、性質又は特徴等が同一又は均等構成と考えられる部分には、前述の図１〜図３と同一の符号を付して重複する説明を省略した。（また次図以降のものにおいても順次同様の考えで、前述の図１〜図３と同一の符号を付して重複する説明を省略する。）
【００２１】
図４に示される構成のものにあっては、入居者が有料信号の供給業者に対して有料信号を利用する為の契約をした場合は、図３を用いて上述したと同様に、有料信号供給業者から供給を受けた接栓装着具40ｃを使用することにより、接栓６０の中心導体６３と有料信号出力端子２５における出力用接片３５が中心導体４８を介して接続される（図４（Ｃ）参照）。入力される有料信号の取り出しが可能になり、入居者は有料信号に係るサービスを楽しむことができる。
【００２２】
さらに、図１〜図３の有料信号出力端子２５とは、非規格接続部26ｄ及び出力用接片35ｄの構成と、それに対応する非規格接栓60ｄの非規格接栓接続部61ｄの構成の点において異なる例を示す図５について説明する。
図５において、有料信号出力端子２５における非規格接続部26ｄの構成は、規格で定められている型式の接栓６０の接続部６１に対しては、接続を不可能にする為に上記の規格で定められている型式の接栓６０の接続部６１には対応しない構成にしてある。
具体的には、非規格接続部26ｄの外径寸法を、接栓６０の接続部６１を接続できないように接続部６１の内径寸法よりも大径、たとえば、接続部６１の内径寸法：9.5mm、非規格接続部26ｄの外径寸法：１０mmにするとよい。
出力用接片35ｄは、図示の如く一端はプリント基板１５に接続し、他端は非規格接続部26ｄ内に配置されている。
60ｄは有料信号供給業者から供給される、非規格接続部26ｄに対応する構成にした非規格接栓接続部61ｄを備える非規格接栓を示す。62ｄは非規格接栓接続部６１ｄの内周面に形成された雌ねじを示し、非規格接続部26ｄの雄ねじ３２に対応するように形成されている。
【００２３】
図５に示される構成のものにあっては、入居者が有料信号の供給業者に対して未契約の場合の使用は、入居者が有料信号を利用しようとしても、有料信号出力端子２５の非規格接続部26ｄに対して接栓６０を接続することができず（図５（Ａ）参照）、未契約者が不正に有料信号を取り出すことを防止できる。
次に、入居者が有料信号の供給業者に対して有料信号を利用する為の契約をした場合は、図３を用いて上述したと同様に、有料信号供給業者から供給を受けた、非規格品の出力端子２５の非規格接続部26ｄに対応する非規格品の接栓60ｄを使用することにより、接栓60ｄの中心導体６３と有料信号出力端子２５における出力用接片35ｄが接続される（図５（Ｂ）参照）。「入力される有料信号」の取り出しが可能になり、入居者は有料信号に係るサービスを楽しむことができる。
【００２４】
次に、図１〜図３の有料信号出力端子２５とは、接栓６０の非規格接続部26に係る構成と、それに対応する業者から供給される中間部材の構成の点において異なる例を示す図６〜図８について説明する。
有料信号の出力端子２５の構成は、規格で定められている型式の接栓６０に係わる接続部６１を、上記有料信号の出力端子２５に係わる接続部７０に対応合着させた状態では、規格で定められている型式の接栓６０に係わる中心導体６３が上記出力端子２５における出力用接片35ｅに接触できない状態で、上記機枠１１に対して出力用接片35ｅが備えさせてある。
接続部７０の外径寸法は接栓６０の接栓接続部６１に対応する寸法にし、内部は中空に形成されている。接続部７０の外周面には、接続部７０に対して接栓接続部６１を螺合できるように雌ねじ６２に対応する雄ねじ７１が形成されている。
図７、８に示される７５は、規格で定められている型式の接栓６０に係わる中心導体６３に対応する構成にした連結中心導体８１が付加してある中心導体連結具を示し、有料信号の供給業者から供給されるものである。
中心導体連結部７５は、上記有料信号出力端子２５に係わる接続部７０に接続することによって、この中心導体連結具７５に付加された上記連結中心導体８１に対して、上記規格で定められている型式の接栓６０に係わる中心導体６３を接続し、上記の「入力される有料信号」の取り出しを可能に構成してある。中心導体連結部７５は嵌合部材７７と連結中心導体８１の二部材を合着させて構成されている。嵌合部材７７は合成樹脂材、例えばポリエチレンで形成し、図７（Ｂ）に表れるように部材77a、77b相互の一端をヒンジ部で連結させて構成し、存置空間７８に連結中心導体８１の前側８２を位置させた状態で部材77a、77bを合体するようにしてある。連結中心導体８１の前側８２は図示の如く筒状の壁を４分割して形成し、嵌合部材７７の存置空間７８に収納させた状態で嵌合部材７７の内周に当接するようにしてある。連結中心導体８１の奥側８３は、有料信号出力端子２５における出力用切片35ｅに対応接合する形状にしてある。
７９は中心導体連結部７５を有料信号出力端子２５の接続部７０に接続する際に必要に応じて使用する為のジグを示し、その一面から突設させた係合片79ａの構成は、中心導体連結部７５の開口部75ａに嵌合させて中心導体連結部７５を接続部70に対して脱着できるように形成するとよい。
【００２５】
図６〜図８に示される構成のものにあっては、入居者が有料信号の供給業者に対して未契約の場合の使用は、入居者が有料信号を利用しようとしても、有料信号出力端子２５における出力用切片35ｅに対して接栓６０の中心導体６３を接続することができず（図６参照）、未契約者が不正に有料信号を取り出すことを防止できる。
次に、入居者が有料信号の供給業者に対して有料信号を利用する為の契約をした場合は、有料信号供給業者から供給を受けた中心導体連結部７５を接続部７０に接続することにより、接栓６０の中心導体６３と有料信号出力端子２５における出力用接片35ｅが連結中心導体８１を介して接続される（図８参照）。入力される有料信号の取り出しが可能になり、入居者は有料信号に係るサービスを楽しむことができる。
【００２６】
次に、図１〜図３の直列ユニットＢとは、有料信号出力端子２５に対する接栓６０の接続部６１の装着を妨げる為の構成が、有料信号出力端子２５の表面に扁平状の遮蔽部材９１を被せる点において異なる例を示す図９〜図１１について説明する。
有料信号出力端子２５の表面には、規格で定められている型式の接栓６０の接続部６１の装着を妨げる為の扁平状の遮蔽部材９１を被せ、その遮蔽部材９１の周辺から奥部に向けて形成された円筒状の嵌合部９３の内側にある雌ねじ９４は上記接続部７０の周囲に備える雄ねじ７１に螺合させてある。
遮蔽部材９１の表面９２には、複数の係合孔９５を９０度間隔で４つ散設し、対応する特定工具９７によってのみ除去可能にしてある。特定工具９７における係合突起９８は、遮蔽部材９１における複数の係合孔９５夫々に係合するような対応位置に４本形成しておくとよい。なお、遮蔽部材９１における複数の係合孔９５と、特定工具９７における係合突起９８の夫々の寸法としては、例えば、係合孔９５の孔径：1.1mm、深さ：1.5mmとし、係合突起９８を長さ寸法：3.5mm、外径1.0mmに形成するとよい。なお、係合孔９５を４個形成させる例を図示したが、設ける数は任意に増減させればよく、例えば２個にしてもよい。当然ながら、特定工具９７における係合突起９８の数もそれに対応させればよい。
図９〜図１１に示される構成のものにあっては、入居者が有料信号の供給業者に対して未契約の場合の使用は、入居者が有料信号を利用しようとしても、遮蔽部材９１に妨げられ、有料信号出力端子２５に対して接栓６０を接続することができず（図９参照）、未契約者が不正に有料信号を取り出すことを防止できる。
次に、入居者が有料信号の供給業者に対して有料信号を利用する為の契約をした場合は、有料信号供給業者から供給を受けた特定工具９７を用いて遮蔽部材９１を除去することにより、接栓６０の中心導体６３と有料信号出力端子２５における出力用接片35ｆが接続される。有料信号の取り出しが可能になり、入居者は有料信号に係るサービスを楽しむことができる。
【００２７】
次に、図９〜図１１の遮蔽部材９１とは有料信号出力端子２５に対する取付構造において異なる例を示す図１２について説明する。
有料信号出力端子２５の表面には、規格で定められている型式の接栓６０の接続部６１の装着を妨げる為の、扁平状の遮蔽手段１００を図示の如く被せ、しかも、遮蔽部材１００における固着部１０３は上記機枠１１に対し固着し、上記接続部６１の装着を不可能にしてある。
遮蔽手段１００は、図２等に表れるパネル５５における凹部５６ａを形成させず、図１２（Ａ）（Ｂ）の如く薄板状の遮蔽部１０１を有料信号出力端子２５に対応させて一体材で形成されている。さらに、上記遮蔽手段１００における固着部１０３の上記機枠１１に対する固着手段は、素人では離脱不能に任意の固着手段、例えば、機枠１１に一体的に固着された取付具５８に脱離不能の鍵部を設けて結合してもいいし、機枠１１に一体的に固着された取付具５８に接着してもよい。
なお、遮蔽部１０１は図１２（Ａ）（Ｂ）に表れるように、実質的に突出しないように僅かに膨らませて形成したものを図示したが、膨らませずに遮蔽手段１００の表面と同一面になるように平坦に形成させてもよい。
【００２８】
図１２に示される構成のものにあっては、入居者が有料信号の供給業者に対して未契約の場合の使用は、入居者が有料信号を利用しようとしても、遮蔽手段１００に妨げられ、有料信号出力端子２５に対して接栓６０を接続することができず（図１２（Ａ）（Ｂ）参照）、未契約者が不正に有料信号を取り出すことを防止できる。
次に、入居者が有料信号の供給業者に対して有料信号を利用する為の契約をした場合は、供給業者が遮蔽手段１００を除去し、図２に示されるパネル５５を機枠１１に対して装着することにより、接栓６０の中心導体６３と有料信号出力端子２５における出力用接片35ｆが接続される。「入力される有料信号」の取り出しが可能になり、入居者は有料信号に係るサービスを楽しむことができる。
【００２９】
次に、図２の盲蓋３３の異なる例を示す図１３について説明する。図１３は、入居者が有料信号の供給業者に対して未契約の場合、パネル５５における有料信号出力端子２５側の凹部56ａを塞いで外観の見栄え良く、さらに、有料信号出力端子２５へのゴミの侵入防止をすることができるようにするものである。さらに、後述する脱着工具115によってのみ除去可能にして、入居者が有料信号出力端子２５に対していたずらすることを防止できるようにするものである。
110はパネル５５における凹部56ａを塞ぐ為のカバー部材を示す。カバー部材110は、凹部56ａの表面を覆う扁平状のカバー部111と、凹部56ａの内周面に嵌着する為の嵌合部113を備え、両者111、113を一体的にプラスチック材で形成してある。
カバー部111の外径寸法W5は、凹部56ａの開口部を覆うようにその内径寸法W6より大きく形成してある。112はカバー部111に設けた掛合孔を示し、後述する脱着工具115の掛合部127に対応する形状にしてある。
嵌合部113は、図示の如くカバー部111から奥部に向けて円筒状に形成されている。嵌合部113の外径寸法W7は、凹部56ａに対して弾力的に縮まって、圧着できるように凹部56ａの内径寸法W6よりやや大きい寸法（例えば、W6:16.5mm、W7:16.6mm）にしてある。
上記カバー部材110の装着は、カバー部111を手でもって、嵌合部113を凹部56ａに対して圧入する。するとカバー部材110は、凹部56ａに対してぴったりと圧着され（図13（Ｂ）参照）、容易に除去することはできない。
【００３０】
次に、上記カバー部材110を取り外す為の脱着工具115について説明する。
脱着工具115は図１４から理解できるように、第１要素116と第２要素117とから成る。
第１要素116は、本体部119と、脱着工具115を手で持つ為の把持部125と、カバー部材110の掛合孔112に掛合する為の掛合部127を備える。121は第２要素117を収容する為の空間を示し（図14（Ｃ）（Ｄ）参照)、第２要素117の操作部134が開口部122から突出した状態で収容されるように対応形状の構成してある。128は第２要素117の脚部132を往復動させる為の掛合部127内部の通路を示す。掛合部127の周壁における先部127ｂは、通路128側に向けて膨出状に構成してある。129は、先部127ｂに形成された４条の間隙を示す。なお、上記第１要素116は図14（Ｃ）に示されるように左右対称の２部材を周知の固着手段（例えばかしめ）でもって一体化させてある。
第２要素117は、胴部130と２本の脚部132と操作部134備え、それらは一体材で構成されている。135は胴部130を矢印105方向に付勢する為のばねを示す。第２要素117は第１要素116の空間121内を矢印105、106方向に往復動自在にしてある。
【００３１】
次に上記構成の脱着工具115を用いて、パネル５５の凹部56ａに対して装着されているカバー部材110を取り外す操作について説明する。
まず、脱着工具115の把持部125を手で持って、２つの掛合部127を夫々、カバー部材110表面の２つの嵌合孔112の位置に合わせて矢印１０６方向に押し、第1要素116の当接部120がカバー部材110のカバー部表面に当たるまで押し込む（図１４（Ｄ）参照）。その状態で、第２要素117における操作部134を指で矢印106方向に押す。すると第２要素117の２本の脚部132が通路128を矢印107方向に進み、掛合部の先部127ｂにぶつかって先部127ｂを矢印108方向に押し開く。この状態のまま脱着工具115を矢印106と反対方向へ引っ張ると、押し開いた掛合部の先部127ｂと、カバー部材110における嵌合孔112の周囲部分とが掛合しているので、カバー部材110は脱着工具115と共に引っ張られ、凹部56ａからスポンと外れる。凹部56ａに装着されているカバー部材110を取り外すことができる。
なお、カバー部材110及び脱着工具115は、図４、図５、図６〜図８に夫々示される例に対しても同様に適用することができる。
【００３２】
次に、図３に示される直列ユニットＢにおける有料信号出力端子２５に装着された接栓装着具４０に装着する覆い部材の例を示す図１５について説明する。図１５に示される覆い部材は、パネル５５の凹部56ａの底面と、有料信号出力端子２５に装着された接栓装着具４０における止辺４４との境目を覆い隠すことができるようにするものである。
図１５において、140は直列ユニットＢに装着された接栓装着具４０に対して装着する為の覆い部材を示し、金属、プラスチック等の硬質材で薄板状に形成されている。覆い部材140の外形寸法W10は、接栓装着具４０における止辺４４との境目を覆い隠し、かつ、凹部56ａに着脱可能な寸法、例えば凹部56ａの内径寸法W11よりやや小さくしてある（W10：15.5mm、W11：16.5mm）。142は本体141の中央部に形成された略楕円状の貫通孔を示す。その内径の短軸寸法W13は、接栓装着具４０の雄ねじ４２の谷部に係合するように雄ねじ４２の外形寸法W12よりやや小さく形成してある。一方、長軸寸法W14は雄ねじ４２の外形寸法W12よりやや大きく形成し、貫通孔142における短軸方向の内周面が弾力的に広がって、雄ねじ４２の山部を乗り越えることができるようにしてある（例えば、W12：9.5mm、W13：8.5mm、W14：10mm）。143は後述する後部145の係合爪149と係合する為の係合孔を示し、本体141の周方向に等間隔に４つ形成されている。
上記構成の覆い部材140の装着は、覆い部材140を図１５（Ｂ）に示されるような向きで、有料信号出力端子２５に装着された接栓装着具４０の前側接続部４１の前面に貫通孔142が位置するようにして当て付け、矢印160方向に押し込む。押込む場合、細径の錐のような工具を用いて本体141を押して押し込むようにすればよい。このとき貫通孔142の周面が雄ねじ４２の山部をカチカチと乗り越えながら奥部に向かって進む。図１５（Ｂ）の一点鎖線で示される程度に押し込み装着される。
【００３３】
次に、上記覆い部材140を取り外す為の工具145について説明する（図１６参照）。
工具145における円筒状の本体部146の外形寸法W15は、パネル５５の凹部に挿入可能にその内径寸法W11よりやや小さく形成されている。147は本体部146の中心位置に形成された凹部を示し、その内径寸法W16と深さ寸法W17は接栓装着具４０における前側接続部４１が入るように構成してある。149は覆い部材140の係合孔143に係合させる為の係合爪を示す。係合爪149は、複数の係合孔143夫々に係合するような対応位置に４本形成しておくとよい。なお、複数の係合孔143と、工具145における係合爪149の夫々の寸法としては、例えば、係合孔143の孔径：1.1mm、係合爪149の外径1.0mmに形成する。
150は本体部146に連結された取っ手部を示す。
【００３４】
次に上記構成の工具145を用いて、装着されている覆い部材140を取り外す操作について説明する。工具145の取って部150を持って本体部146を凹部56ａに挿入し、係合爪149を覆い部材140における係合孔143に係合させる。そして回動させると覆い部材140の貫通孔142が、接栓装着具４０の前側接続部４１の雄ねじのらせんを通って手前方向（矢印160の反対方向）に進み、やがて覆い部材140は、前側接続部４１から外れる。
なお、上記工具145は覆い部材140を装着する際にも用いてもよい。
【図面の簡単な説明】
【００３５】
【図１】（Ａ）は共同受信システムを説明する為の概略ブロック図、（Ｂ）（Ｃ）は夫々混合器を説明する為のブロック図、（Ｄ）は直列ユニットの構成を説明する為のブロック図。
【図２】直列ユニットにおける機枠と、通常信号出力端子と、有料信号出力端子と、接栓との関係を説明する為の一部破断して示す概略断面図（入居者が有料信号供給業者に対して未契約の状態）。（Ｂ）は機枠正面模式図、（Ｃ）はパネルの正面模式図。
【図３】（Ａ）は接栓装着具を説明する為の正面図、（Ｂ）は直列ユニットと、通常信号出力端子と、有料信号出力端子と、接栓との関係を説明する為の一部破断して示す概略断面図（有料信号が利用できる状態を説明する為の図）。
【図４】図１〜図３とは異なる例を説明する為の一部破断して示す概略断面図で、（Ａ）は有料信号供給業者に対して未契約の状態、（Ｂ）は接栓装着具を説明する為の正面図、（Ｃ）は有料信号が利用できる状態を示す。
【図５】図１〜図３とは異なる例を説明する為の一部破断して示す概略断面図で、（Ａ）は有料信号供給業者に対して未契約の状態、（Ｂ）は有料信号が利用できる状態を示す。
【図６】図１〜図３とは異なる例を説明する為の一部破断して示す概略断面図で、有料信号供給業者に対して未契約の状態を示す。
【図７】図１〜図３とは異なる例を説明する為の概略斜視図
【図８】図１〜図３とは異なる例を説明する為の一部破断して示す概略断面図で、（Ｂ）は（Ａ）における有料信号出力端子の部分拡大図。
【図９】図１〜図３とは異なる例を説明する為の一部破断して示す概略断面図で、有料信号供給業者に対して未契約の状態。
【図１０】遮蔽部材と特定工具との関係を説明する為の図。
【図１１】図９に示される直列ユニットについて、有料信号が利用できる状態を説明する為の一部破断して示す概略断面図。
【図１２】図９〜図１１とは異なる例を説明する為の一部破断して示す概略図で、（Ａ）（Ｂ）は有料信号供給業者に対して未契約の状態、（Ｃ）（Ｄ）は有料信号が利用できる状態を説明する為の図。
【図１３】図２の盲蓋の異なる例を説明する為の図で、（Ａ）はカバー部材の斜視図、（Ｂ）はカバー部材が装着された状態を説明する為の一部破断した概略断面図。
【図１４】脱着工具を説明する為の図で、（Ａ）は正面図、（Ｂ）は脱着工具における掛合部方向の正面図、（Ｃ）は（Ａ）におけるＣ−Ｃ線断面図、（Ｄ）はカバー部材と脱着工具における第１要素と第２要素の関係を説明する為の一部破断して示す部分断面図、（Ｅ）はカバー部材を取外す場合を説明する為の部分断面図。
【図１５】覆い部材を説明する為の図で、（Ａ）は覆い部材の正面図、（Ｂ）は装着する場合について説明する為の一部破断した概略断面図、（Ｃ）は装着された状態を説明する為の正面図。
【図１６】は覆い部材を取り外す為の工具を説明する為の図で、（Ａ）は工具の概略正面図（取っ手部を一部省略して示す）、（Ｂ）は右側面図。
【符号の説明】
【００３６】
Ａ・・・共同受信システム、Ｂ・・・直列ユニット・テレビ端子、１・・・伝送路、２・・・ＵＨＦアンテナ、３・・・ＢＳ／ＣＳアンテナ、４・・・伝送路、１１・・・機枠、１３・・・入力端子、 １４・・・送出端子、１５・・・プリント基板、１９・・・通常信号出力端子、２０・・・接続部（外部導体）、２１・・・雄ねじ、２２・・・絶縁体、２３・・・出力用接片（中心導体）、２５・・・有料信号出力端子、２６・・・非規格接続部、２７・・・周壁、２９・・・雌ねじ、３０・・・底部、  ３１・・・貫通孔、３３・・・盲蓋、３５・・・出力用接片、４０・・・接栓装着具、４１・・・前側接続部、４２・・・雄ねじ、４４・・・止片、４５・・・奥側接続部、４６・・・雄ねじ、４８・・・中心導体、５５・・・パネル（端子台）、５６、56ａ・・・凹部、５９・・・化粧プレート（フラッシュプレート）、６０・・・接栓（プラグ）、６１・・・接栓の接続部、６３・・・中心導体、６５・・・信号導線、６８・・・壁面、７０・・・接続部、７１・・・雄ねじ、７５・・・中心導体連結部、７７・・・嵌合部材、８１・・・連結中心導体、９１・・・遮蔽部材、９２・・・表面、９３・・・嵌合部、９４・・・雌ねじ、９５・・・係合孔、９７・・・特定工具、１００・・・遮蔽手段、１０１・・・遮蔽部、１０３・・・固着部
【図１】
2008198576.tif 000003
【図２】
2008198576.tif 000004
【図３】
2008198576.tif 000005
【図４】
2008198576.tif 000006
【図５】
2008198576.tif 000007
【図６】
2008198576.tif 000008
【図７】
2008198576.tif 000009
【図８】
2008198576.tif 000010
【図９】
2008198576.tif 000011
【図１０】
2008198576.tif 000012
【図１１】
2008198576.tif 000013
【図１２】
2008198576.tif 000014
【図１３】
2008198576.tif 000015
【図１４】
2008198576.tif 000016
【図１５】
2008198576.tif 000017
【図１６】
2008198576.tif 000018